(57)【要約】      （修正有）【課題】複数のサービスを利用し易くするサービス提供装置を提供する。【解決手段】サービス提供装置１００は、制御部１０１と、操作部１０２、カード読取部１０３、現金決済部１０４、レシート発行部１０５、レシート読取部１０６、サービス情報受信部１０７、サービス画面受信部１０８を備えている。サービス提供装置１００は、ユーザが複数のサービスを利用する際、サービスの終了ボタンを押すことなく、別のサービスに直接移動可能なボタンを操作パネルに表示する。「別のサービスに移動」ボタンは、現在のサービスから移動する可能性が高いサービスのボタンを優先的に表示する。移動する可能性の高いサービスは、ユーザの操作を記録した操作履歴のデータからサービス間で移動する確率を算出し、現在のサービスから移動する確率の高い順にサービスのボタンを優先的に表示する。【選択図】図３
2019179576.tif 000002
【特許請求の範囲】
【請求項１】
ユーザが利用する第一のサービスを前記ユーザに選択させるサービス選択メニューを表示する手段と、
前記第一のサービスの処理が完了する前に、前記第一のサービスとは別の第二のサービスの選択を受け付ける操作子を表示せず、前記第一のサービスの処理が完了した後に、前記操作子を表示する表示手段と、
前記操作子の選択を受け付けた場合に、前記サービス選択メニューに戻ることなく、前記第二のサービスに移動させる手段とを備えるサービス提供装置。
【請求項２】
前記ユーザが前記第一のサービスを終了させる前に、前記サービス選択メニューに戻ることなく、前記第二のサービスに移動させる手段とを備える請求項１に記載のサービス提供装置。
【請求項３】
前記第一のサービスの処理が完了した際に移動可能な前記第二のサービスが複数ある場合に、前記ユーザの操作を記録した操作履歴のデータからサービス間で移動する確率を算出することで前記第一のサービスから移動する可能性の高い前記第二のサービスを決定し、前記第一のサービスから移動する可能性の高い前記第二のサービスを優先して前記操作子に表示させる表示制御手段と、を備える請求項１又は請求項２に記載のサービス提供装置。
【請求項４】
前記ユーザの操作を記録した操作履歴のデータからサービス間で移動する確率を算出することで前記第一のサービスから連続して移動する可能性の低い前記第二のサービスを決定し、前記第一のサービスから移動する可能性の低い前記第二のサービスについては前記操作子に表示させない表示制御手段と、を備える請求項１又は請求項２に記載のサービス提供装置。
【発明の詳細な説明】
【技術分野】
【０００１】
本発明は、サービス提供装置、サービス提供システムに関する。
【背景技術】
【０００２】
近年、コンビンエンスストアやＤＰＥ（Development  Printing  Enlargement)ショップ等の店舗に設置され、コピー、各種プリント、スキャン等の様々なサービスをユーザに提供する装置が知られている。このような装置においては、不特定多数のユーザが利用するため、その操作性を向上したり、誤操作を防止したりする技術が多数提案されている。
【０００３】
例えば、特許文献１には、ユーザによる少ない操作で、使用頻度の高いサービスや他のサービスを実行できるようにした画像処理装置が開示されている。
【０００４】
また、特許文献２には、ユーザがプリントを選択した場合に、ユーザが所持する各種の記憶媒体（ＳＤカード等）の誤挿入を抑制するための記憶媒体処理装置、画像形成システムが開示されている。
【先行技術文献】
【特許文献】
【０００５】
【特許文献１】特開２００６−２７０７１３号公報
【特許文献２】特開２０１２−１３５８８１号公報
【発明の概要】
【発明が解決しようとする課題】
【０００６】
上記のように、店舗に設置され、コピー、プリンタ、スキャナ、ファックス等の複数の機能を有する画像形成装置を中心とするサービス提供装置は、街のサービスステーションとして、ますます多様なサービスを提供するようになっていくと考えられる。また、そのサービスの利用をさらに促すためには、さらに多様な特典が付与されるようになっていくと考えられる。したがって、このようなサービス提供装置においては、操作性の向上とともに、付与された特典を利用する際の利便性の向上も必要となる。
【０００７】
本発明は、複数のサービスを利用し易くするとともに、サービスを利用することによって付与される特典を利用する際の利便性を向上するサービス提供装置、サービス提供システムを提供することを目的とする。
【課題を解決するための手段】
【０００８】
請求項１に記載の発明は、ユーザが利用する第一のサービスを前記ユーザに選択させるサービス選択メニューを表示する手段と、前記第一のサービスの処理が完了する前に、前記第一のサービスとは別の第二のサービスの選択を受け付ける操作子を表示せず、前記第一のサービスの処理が完了した後に、前記操作子を表示する表示手段と、前記操作子の選択を受け付けた場合に、前記サービス選択メニューに戻ることなく、前記第二のサービスに移動させる手段とを備えるサービス提供装置である。
【０００９】
請求項２に記載の発明は、前記ユーザが前記第一のサービスを終了させる前に、前記サービス選択メニューに戻ることなく、前記第二のサービスに移動させる手段とを備える請求項１に記載のサービス提供装置である。
【００１０】
請求項３に記載の発明は、前記第一のサービスの処理が完了した際に移動可能な前記第二のサービスが複数ある場合に、前記ユーザの操作を記録した操作履歴のデータからサービス間で移動する確率を算出することで前記第一のサービスから移動する可能性の高い前記第二のサービスを決定し、前記第一のサービスから移動する可能性の高い前記第二のサービスを優先して前記操作子に表示させる表示制御手段と、を備える請求項１又は請求項２に記載のサービス提供装置である。
【００１１】
請求項４に記載の発明は、前記ユーザの操作を記録した操作履歴のデータからサービス間で移動する確率を算出することで前記第一のサービスから連続して移動する可能性の低い前記第二のサービスを決定し、前記第一のサービスから移動する可能性の低い前記第二のサービスについては前記操作子に表示させない表示制御手段と、を備える請求項１又は請求項２に記載のサービス提供装置である。
【発明の効果】
【００１２】
請求項１の記載の発明によれば、サービス提供装置が提供する複数のサービスをユーザが連続して利用する場合、サービスを選択する手間を少なくすることができる。
請求項２に記載の発明によれば、サービスを終了させることをユーザが明示的に指示する前に選択したサービスは、同一ユーザによる利用であると判断することができる。
請求項３に記載の発明によれば、１つのサービスが完了した後に移動可能なサービスが複数ある場合、「移動する可能性の高いサービス」ほど、ユーザが選択し易くなる。
請求項４に記載の発明によれば、１つのサービスが完了した後に移動可能なサービスが複数ある場合、「移動する可能性の低いサービス」ほど、ユーザが選択し難くなる。
【図面の簡単な説明】
【００１３】
【図１】本発明の実施形態に係るサービス提供システムの概略（イメージ）を示す図である。
【図２】本発明の実施形態に係るサービス提供装置のハードウェア構成の一例を示す図である。
【図３】本発明の実施形態に係るサービス提供装置及びサービスセンタサーバの機能構成の一例を示す図である。
【図４】サービス利用履歴データベースに格納されるデータ構成の一例を示す図である。
【図５】複数サービスを利用した場合、利用料金のレシートをまとめて発行する処理フローの一例を示す図である。
【図６】特典利用の際のサービス提供装置とサービスセンタサーバ間の処理フローの一例を示す図である。
【図７】サービュスメニュー画面、コピーサービスの画面の表示例を示す図である。
【図８】ファックスサービスの画面及びレシート選択画面の表示例を示す図である。
【図９】一括レシートの一例を示す図である。
【図１０】レシート読込サービスの画面の表示例を示す図である。
【発明を実施するための形態】
【００１４】
以下、本発明を実施するための形態（以下、本実施形態）について図面を参照しながら説明する。
【００１５】
（サービス提供システムの概略）
図１は、本発明の実施形態に係るサービス提供システムの概略（イメージ）を示す図である。サービスを利用するユーザは、コンビニエンスストア等の店舗において、店舗に設置されたサービス提供装置を利用するものとする。サービス提供装置には、コピー、プリンタ、スキャナ、ファックス等の機能を有する画像形成装置（マルチコピー機と呼ばれることもある）をはじめとして、各種のネットサービスを提供する端末装置（キオスク端末又はサービスステーションと呼ばれることもある）、各種金融サービスを扱えるＡＴＭ（Automated  Teller  Machine)等が含まれる。これらサービス提供装置は、ネットワークを介して、装置が提供するサービスを集中管理するサービスセンタのサーバに接続されている。サービスセンタは、さらに、様々な外部事業者のシステム、例えば、宅配事業者のシステム、チケット発行事業者のシステム等と接続されている。
【００１６】
店舗で、ユーザは、サービス提供装置の操作パネル（モニタ）で希望するサービスを選択する。このとき有料のサービスであれば、課金を条件にそのサービスの提供を受けることになる。例えば、コピーサービスを受ける場合は、コピーの種類や枚数に応じて課金される。そのため、サービス提供装置には、現金や電子マネー等で決済可能な課金装置が接続されており、サービスの終了時に、サービスに応じて定められた課金の決済完了後にレシート（領収書）が発行される。
【００１７】
また、サービスセンタのサーバには、ユーザが利用したサービスがサービス提供装置から通知され、サービスセンタのサーバは、そのサービスの情報をデータベースに記録し、ユーザに提示するため、及び／又はレシートに印字するため、利用されたサービスのサービス情報を送信する。ここでのサービス情報には、レシートごとに、利用日時、利用したサービスの種類、利用金額の他、ユーザが電子マネーカードの会員Ｎｏ．等で特定できる場合は、個人特定情報、サービスの利用によって付与される獲得ポイント、そのレシートのポイントが有効か否かを示すポイント有効情報、及び後述するレシート情報が含まれる。
【００１８】
レシートには、レシート番号（レシート識別子）が、バーコード等で記録され、そのレシートを、ユーザがサービス提供装置に読み込ませることで、レシート発行の際に利用したサービス情報が得られる。サービス情報には、レシートごとのポイント（特典情報）が記録されているので、ユーザが特典情報を含むレシート、すなわち「特典付レシート」を、サービス提供装置、例えば、画像形成装置のスキャナに読み込ませ、後述するように、その後に利用するサービスに対する特典利用券（例えば割引券）のように利用させる手段が提供される。また、発行されたレシートをベースに、順次新しく発行されたレシートに特典情報を引き継ぐように加算し、だれでも気軽にポイント等の特典を集め、繰り返しサービス提供装置を使ってもらえるようにする。もちろん、一度利用したレシートのポイントは無効となる。また、レシートを１枚１枚読み込ませるのは面倒なため、後述するように、複数のレシートを１枚のレシートにまとめる手段が提供される。受けられる特典情報には、レシートの枚数による特典、サービスの利用金額による特典、利用サービス種による特典、期間による特典、蓄積ポイントによる特典、店舗キャンペーンによる特典、特定個人／法人等による特典などがある。
【００１９】
図２は、本発明の実施形態に係るサービス提供装置のハードウェア構成の一例を示す図である。以降では、サービス提供装置１００の典型例として、画像形成装置１０を中心としたサービス提供システムについて説明する。
【００２０】
本実施形態のサービス提供システム（以下、本システムと呼ぶこともある）では、図示するように、画像形成装置１０本体と、インターフェースユニット２０と、課金装置３０と、レシート発行装置４０とが接続された構成としている。画像形成装置１０は、主に、装置全体を制御し、入力された印刷データを解析して画像を形成する制御部１０Ａと、形成された画像を電子写真方式やインクジェット方式で紙媒体等に印刷する画像印刷部１６（プリンタエンジンと呼ばれることもある）と、原稿台に置かれた紙媒体等の画像を読み取る画像読取部１７（スキャナと呼ぶこともある）とに分けられる。画像形成装置１０は、その他にもオプションとして、ＡＤＦ（自動給紙機構）や排紙機構（ソータ等）も存在し得るが図示は省略する。
【００２１】
制御部１０Ａ（コントローラとも呼ぶ）は、主として、ＣＰＵ（Central  Processing  Unit)１１、ＲＯＭ１２、ＲＡＭ１３、外部Ｉ／Ｆ１４を備え、バス１５を介して互いに接続されている。ここでＣＰＵ１１は、ＲＯＭ１２に記憶されたプログラムを読み出し、そのプログラムに従い、ＲＡＭ１３との間でデータを読み書きしながら処理を実行する。ＲＯＭ１２には、プログラムが記録され、また印刷や表示のためのフォントデータが記録されてもよい。ＲＯＭ１２は、書き換え可能なフラッシュメモリ等を用いてもよい。また、バス１５には、第１のＩ／Ｆ（Interface)を介して、インターフェースユニット２０が接続され、第２のＩ／Ｆを介して、課金装置３０とレシート発行装置４０が接続されている。また、バス１５には、上記の画像印刷部１６と接続するための第３のＩ／Ｆ、上記の画像読取部１７と接続するための第４のＩ／Ｆが接続されている。上記のＩ／Ｆには、ＲＳ４２２やＵＳＢ等のシリアルインターフェースやパラレルインターフェースが用いられる。なお、本実施形態では、ＲＯＭ１２に予めプログラムが記憶されているものとしているが、外部Ｉ／Ｆ１４を介した通信手段によって、別途プログラムが提供、更新されるようにしてもよい。またこのプログラムは、ＣＤやＤＶＤ等の記録媒体に格納して提供されるようにしてもよい。
【００２２】
本実施形態のシステムでは、画像形成装置１０とサービスセンタサーバ２００に接続され、ユーザが所持する各種の記憶媒体からデータを取得し、さらに画像形成装置１０とサービスセンタサーバ２００のインターフェースを制御するインターフェースユニット２０が画像形成装置１０とは別に設けられている。また、本実施形態では店舗における設置の柔軟性と操作性を考慮して、インターフェースユニット２０側に、ユーザの操作を受け付けるＵＩ（User  Interface)装置として、タッチパネル方式のモニタ２１を設けるようにしているが、モニタ２１は画像形成装置１０本体に設けるようにしてもよい。
【００２３】
また、インターフェースユニット２０には、記憶媒体挿入部２２が設けられ、ＣＤ、ＤＶＤ、ＳＤカード（マイクロＳＤカードやミニＳＤカード等）、ＵＳＢメモリ、メモリスティック等のユーザが所持する様々な記憶媒体から、文書データや写真等の画像データを読み出せるようになっている。また、インターフェースユニット２０には、携帯電話機、スマートフォン、タブレット端末等のモバイル機器から、近距離無線通信手段によってデータをやりとりする近距離無線通信部２３を備えていてもよい。
【００２４】
課金装置３０は、本システムを利用してサービスを受けた際の利用料金を課金決済するための装置である。課金装置３０にはいくつかのタイプがあり、硬貨のみを取り扱えるタイプ、硬貨と紙幣の両方を取り扱えるタイプ、電子マネーやクレジットカードで決済可能なタイプ、及びそれらを組合せたタイプがある。
【００２５】
レシート発行装置４０は、サービスの利用料金の決済が完了した後、レシートとして領収書を発行する装置である。図２では、レシート発行装置４０を独立した装置としているが、課金装置３０又はインターフェースユニット２０に含めて構成してもよい。また、インターフェースユニット２０自体を制御部１０Ａと統合し、画像形成装置１０に内蔵する構成としてもよい。
【００２６】
なお、特に図示していないが、画像形成装置１０には、印刷データを一時的に蓄積する蓄積装置（スプーラと呼ばれることもある）を備えていてもよい。蓄積装置は、ハードディスクやＳＳＤ（Solid  State  Drive)等の記憶装置を有している。
【００２７】
（サービス提供装置及びサービスセンタサーバの機能構成）
図３は、上記で説明したサービス提供装置１００及びサービスセンタサーバ２００の機能構成の一例を示す図である。この図は、各装置のプログラムが前述のハードウェアと協業することによって実現する機能を、機能ブロックとして表したものである。なお、本発明に関係のない機能ブロックは省略している。
【００２８】
サービス提供装置１００には、制御部１０１と、制御部１０１によって制御される処理部として、操作部１０２、カード読取部１０３、現金決済部１０４、レシート発行部１０５、レシート読取部１０６、サービス情報受信部１０７、サービス画面受信部１０８を備えている。また、サービス提供装置１００は、ユーザにより選択された各種のサービスを実行するサービス実行部１１０を複数備えている。これらのサービスには、サービス提供装置１００内部で処理が完結する処理と、サービスセンタサーバ２００や外部の事業者システムに対して依頼する処理とが含まれる。
【００２９】
サービスセンタサーバ２００には、データベース（ＤＢ）として、ユーザ情報ＤＢ２０１と、サービス特典ＤＢ２０２と、サービス利用履歴ＤＢ２０３と、レシート管理ＤＢ２０８とを備えている。ユーザ情報ＤＢ２０１は、会員ユーザの情報を登録しているデータベースである。サービス特典ＤＢ２０２は、サービスごとに定められた特典情報を登録するデータベースであり、随時更新される。サービス利用履歴ＤＢ２０３は、ユーザがサービスを利用し、利用料金を決済するごとに、利用したサービスの利用情報を利用履歴として記録するデータベースである。レシート管理ＤＢ２０８は、サービス提供装置１００により発行されたレシートの情報、特に、レシート番号（領収書番号）を管理するデータベースである。レシート番号には、レシートに含まれた特典情報の有効／無効を示す情報と共に、そのレシートが発行された際に利用されたサービスの特典情報が紐付される。また、サービスセンタサーバ２００には、処理を実行する処理部として、カード決済部２０４と、サービス情報送信部２０５と、利用サービス管理部２０６と、レシート判定部２０７とが備えられている。
【００３０】
以下、サービス提供装置１００の各機能ブロックについて、サービスセンタサーバ２００の関連する機能ブロックとともに説明する。
【００３１】
サービス提供装置１００の制御部１０１は、以下に述べる処理部全体を制御し、かつユーザが利用したサービスをサービスセンタサーバ２００の利用サービス管理部２０６に通知する機能を有する。利用サービス管理部２０６は、通知された情報に基づいて、サービス特典ＤＢ２０２からそのサービスの特典情報を読出し、サービスの利用料金の決済が完了していることを確認して、利用したサービスの情報を利用履歴としてサービス利用履歴ＤＢ２０３に記録する。サービス利用履歴ＤＢ２０３に記憶されるデータについては後述する。
【００３２】
サービス提供装置１００の操作部１０２は、前述したようにユーザからの指示を受け付け、希望するサービスを選択させ、様々な情報を表示する表示部であるモニタ２１（図２参照）、及び各装置に備えられたＬＥＤ、物理ボタン、スイッチ等を含めたＵＩ装置全体を制御する。
【００３３】
また、操作部１０２は、制御部１０Ａの制御の元、ユーザが利用したサービス（「第一のサービス」と呼ぶ）の処理の完了を検知した際に、移動可能な別のサービス（「第二のサービス」と呼ぶ）に、サービスの選択メニュー（メインメニュー）に戻ることなく、直接移動させる手段を備える。すなわち、この別のサービスに移動させる手段として機能するボタン（「別のサービスに移動」ボタンと呼ぶことにする）をモニタ２１に表示する。サービス提供装置１００は、ユーザが、サービスの終了ボタンを押す前に、この「別のサービスに移動」ボタンを押した後に利用したサービスは、同一ユーザの利用であると判断する。
【００３４】
なお、ユーザがサービスを利用するための各種のサービス画面は、サービス画面受信部１０８が、サービスセンタサーバ２００から受信し、随時更新される。
【００３５】
サービス提供装置１００のカード読取部１０３は、ユーザが電子マネーカードやクレジットカード等で利用料金を決済する場合、そのカード情報を読み込み、サービスセンタサーバ２００のカード決済部２０４に送信し、カード決済を処理させる。ここで取得されたカード情報は、ユーザを特定するユーザ特定情報としても用いられる。現金で決済するユーザに対しては、ユーザ特定情報は、本サービス提供システムの会員の場合、操作部１０２から会員番号と暗証番号を入力させることで取得してもよい。
【００３６】
サービス提供装置１００の現金決済部１０４は、前述の課金装置３０とデータをやりとりし、現金で決済するユーザに対して、硬貨や紙幣を投入させ、利用したサービスの利用料金の決済を行う。
【００３７】
サービス提供装置１００のレシート発行部１０５は、ユーザが選択したサービスを終了するときに起動し、レシート（領収書）を発行する。ここで発行されるレシートには、レシートを個別に識別するバーコードが印刷される。ユーザが複数のサービスを利用したときは、サービスごとにレシート（個別レシート）を発行するか、利用したサービスをまとめたレシート（一括レシート）を発行するかをユーザが選択する手段を有する。
【００３８】
また、ここで発行されたレシートのレシート番号（レシート識別情報）は、サービスセンタサーバ２００に送信されて、レシート番号ごとにレシート発行情報を管理するレシート判定部２０７によって、サービス利用履歴ＤＢ２０３に格納される。レシート発行情報には、そのサービスの利用によって獲得したポイント等の特典情報が含まれる。サービス利用履歴ＤＢ２０３には、具体的には図４で示すように、サービスの利用店舗、利用日時、利用サービスの内容、利用金額、獲得ポイント、レシート番号、及び後述の特典利用状況が記録される。ユーザが会員であれば、会員番号ごとにこれらの情報が集約されて記録される。
【００３９】
図３に戻り、サービス提供装置１００のレシート読取部１０６は、発行されたレシートを読み込む機能を有し、レシートに印刷されたバーコードからレシート番号を識別して、サービスセンタサーバ２００のレシート判定部２０７に送信し、レシートごとに記録された情報を問い合わせる機能を有する。レシート判定部２０７は、特に、レシートに含まれた特典情報の有効／無効をレシート管理ＤＢ２０８を参照して判定する。一度利用された特典情報が再度利用されることを防ぐためである。レシートの読み込みは、画像形成装置１０の画像読取部１７（スキャナ）を利用してよい。サービスセンタサーバ２００は、このレシート情報の問い合わせを受けると、サービス情報送信部２０５が、サービス利用履歴ＤＢ２０３からそのレシート番号に対応する情報を抽出し、サービス提供装置１００のサービス情報受信部１０７に送信する。
【００４０】
既に述べたように、ポイント等の特典情報が記録されたレシートは、そのレシート自体がサービスの割引券のように機能するが、一度その特典を利用したレシートの特典情報は無効にする必要がある。そのため、図４で示したサービス利用履歴ＤＢ２０３には、レシートごとに特典を使用済か否かを示す特典利用状況２０３Ａが記録されている。
【００４１】
また、レシートを読み込ませた後、そのレシートの特典を使ってサービスを利用できるようにしてもよい。例えば、その特典の分だけ利用料金が割り引かれるようにする。また、レシートを紛失した場合などに、それを手に入れた他人にレシートの特典を利用されないようにするため、読み込んだレシートの特典を利用する際には、会員カードを読み込ませたり、会員番号を入力させたりすることが望ましい。入力された会員番号がレシートに記録された会員番号に一致しないときは、特典の「無効」が表示される。
【００４２】
なお、サービスセンタの故障対策として、サービス提供装置側で、ユニークな領収書番号（レシート番号）を発番する手段を持ち、センタ側は、領収書番号の有効／無効を判定するための管理のみを行い、特典情報はレシートのバーコート内に保持するようにしてもよい。万一、センタ側のレシート番号を管理するデータベースが故障し、記録が消えた場合でも、特典情報をレシート内のバーコードに保持していれば復元が可能である。また、領収書の有効／無効の判断のため、レシートの領収書には、有効期限を設け、有効期限を過ぎた領収書の特典の権利は無効とするようにしてもよい。また、特典の権利を保持した領収書は、特典を引き継ぐたびに、通番で発番されるようにし、ユーザが特典を利用した場合は、それ以前の領収書番号は無効化するようにしてもよい。
【００４３】
上記で説明した機能ブロックの構成は、あくまで一例であり、一つの機能ブロック（処理部、データベース）を分割したり、複数の機能ブロックをまとめて一つの機能ブロックとしたりしてもよい。各処理部は、その装置のＣＰＵが、ＲＯＭ（プログラムメモリ）に格納されたプログラム、又は記憶媒体若しくはネットワークから提供されたプログラムを読み出し、そのプログラムを装置内のコンピュータが実行することによって実現される。
【００４４】
（処理フロー）
図５は、サービス利用の際のサービス提供装置１００の処理フローの一例を示す図である。以下の処理フローでは、各ステップの入力と出力の関係を損なわない限り、ステップの処理順序を入れ替えてもよい。なお、処理フローの説明では、サービス提供装置１００を「装置側」と呼ぶことがあり、サービスセンタサーバ２００を「サーバ側」と呼ぶことがある。
【００４５】
サービス提供装置１００は、デフォルト画面としてサービス選択メニュー（メインメニュー）を表示している（ステップＳ１０）。ユーザがこのサービス選択メニューから希望するサービスを対応するボタンを押下するなどして選択すると（ステップＳ１１：Ｙ）、その選択されたサービスに対応する装置側のプログラムを呼び出してサービスを実行する（ステップＳ１２）。サービスによっては装置側だけで処理できないものがあるので、その場合はサーバ側（図示せず）と協業する。そして、ステップＳ１３において、選択されたサービスの処理が完了したこと（例えば、コピーやプリントの印刷が完了したこと、ファックス送信やスキャンが完了したこと）を装置内部で検知すると、「別のサービスに移動」ボタンを表示する（ステップＳ１４）。
【００４６】
「別のサービスに移動」ボタンとは、ユーザが一つのサービスを完了した後、引き続き別のサービスを利用したい場合に、サービスの移動操作を簡単にするためのボタンであり、一つのサービスの処理完了を検知した場合にはじめて表示されるもので、ステップＳ１０のサービス選択メニュー（メインメニュー）とは異なるものである。従来は、別のサービスに移動する際には、メインメニューに戻って別のサービスを選択していたが、メインメニューに戻る必要はなくなる。ユーザが複数のサービスを連続して利用するケースとしては、例えば、ＵＳＢメモリに入れた文書をプリントした後に、その文書をファックスで送る場合、あるいはオリジナルの原稿を拡大縮小してコピーを取った後、そのコピーをスキャンしてＵＳＢメモリに保存したり、そのコピーをファックスで送信したりする場合などが考えられる。
【００４７】
このようなケースでは、プリント、ファックス、コピー、ファックスは、それぞれ別のサービス（料金も別々設定されている）なので、例えば、プリントした後にファックスを送りたい場合は、通常であれば、いったんプリントサービスにおいて終了ボタンを押してメインメニューに戻り、その後、メインメニューからファックスサービスを選択し直さなければならない。しかし上記の「別のサービスに移動」ボタンを利用すれば、プリントサービスからファックスサービスにワンタッチで直接移動できる。また、「別のサービスに移動」ボタンによって選択されたサービスは、同一ユーザの一連の操作であると判断し、利用料金の決済をまとめて処理してレシートも１枚にまとめられる。この「別のサービスに移動」ボタンの具体例については後述する。
【００４８】
図５のステップＳ１５で「別のサービスに移動」ボタンの押下されたことを検知すると、メインメニューに戻ることなく、「別のサービスに移動」ボタンで選択されたサービスを実行する（ステップＳ１６）。そして、その別のサービスの処理が完了するのを待ち（ステップＳ１７：Ｙ）、完了後ステップＳ１３に戻る。また、「別のサービスに移動」ボタンが押されずに、終了ボタンが押された場合（ステップＳ１８：Ｙ）、ステップＳ１９に移る。ステップＳ１９では、ユーザが希望する全てのサービスを終了させたと見なし、利用したサービスの料金を計算し、レシート選択画面を表示する。ただし、入金のための現金の投入又はカードの読み込ませは前もって行われているものとする。
【００４９】
一方、サーバ側では、装置からの処理要求があるかどうかを常時監視しており、処理要
求を受信すると、その内容を確認し、処理要求がサービス完了通知であれば、サービス特
典ＤＢ２０２を参照し、ユーザが利用したサービスの特典情報をサービス情報に含めて装
置に送信する。装置側では、上記のステップＳ１９で、このサービス情報を受信する。
【００５０】
装置側で、利用したサービスのすべてのサービス情報を受信すると、レシート選択画面を表示し、発行するレシートの形態をユーザに選択させる（ステップＳ２０）。具体的には、「レシートを発行しない」（ステップＳ２１）、「サービスごとにレシートを発行する」（ステップＳ２２）、「１枚のレシートにサービスごとの利用情報を記載」（ステップＳ２３）、「１枚のレシートに利用した全サービスの一括金額を記載」（ステップＳ２４）のどれかをユーザに選択させる。そして、どの形態でレシートを発行したかを示すレシート発行情報をサーバ側に送信する（ステップＳ２５）。サーバ側ではこのレシート発行情報を記録する。そして、レシート番号と特典情報をバーコードに埋め込み（ステップＳ２６）、そのバーコードをレシート上に印字する（ステップＳ２７）。
【００５１】
ここで、レシートを発行しない場合であっても、レートを発行しない旨をサーバ側に送信する（ステップＳ２１）。サーバ側では、レシートを発行しなかったサービスの特典情報を蓄積し記録する。そして、装置側は、同じユーザが後に別のサービスを利用した際などに、蓄積された特典情報をサーバ側から受信し、新たなレシートとして発行してもよい。なお、すでに述べたように、一度発行された複数のレシートを画像形成装置１０のスキャナで読み込ませて、レシートの情報を確認したり、１枚のレシートにまとめて発行し直したりするサービス（レシート読込サービスと呼ぶ）も提供される。レシート選択画面やレシート読込サービスの具体例については後述する。
【００５２】
図６は、レシートの特典を利用する際のサービス提供装置とサービスセンタサーバ間の処理フローの一例を示す図である。
【００５３】
装置側のステップＳ１０とステップＳ１１は、図５と同じであるので説明は省略する。装置側でレシート読込サービスが選択されると（ステップＳ３０：Ｙ）、レシートのバーコードをスキャナで読み込み、レシート番号を含ませた「レシート情報問合せ」要求としてサーバに送信する（ステップＳ３２）。
【００５４】
サーバ側で、レシート情報問合せの要求を受信すると（ステップＳ５０：Ｙ）、受信したレシート番号が存在することを、サービス利用履歴ＤＢ２０３を参照して確認し（ステップＳ６１）、受信したレシート番号の情報を抽出する（ステップＳ６３）。そして、そのレシートの特典が既に使用済かどうかをチエックする（ステップＳ６４）。使用済の場合は、「特典無効」を装置側に送信して（ステップＳ６５）、その後、ステップＳ５０に戻るが、特典が使用済でなければ、「特典有効」を装置側に送信する（ステップＳ６６）。
【００５５】
装置側では、レシートの特典判定情報を受信し（ステップＳ３３）、「特典有効」を受信した場合（ステップＳ３４：Ｙ）、そのレシートの特典情報を表示し（ステップＳ３６）、特典を利用してサービスを続行するかどうかをユーザに確認する（ステップＳ３７）。特典を利用する場合は（ステップＳ３７：Ｙ）、利用する特典情報をサーバ側に送信する（ステップＳ３８）。例えば、特典情報がポイントであれば、今回利用するポイントを入力させるようにする。そして、特典を利用したサービスを選択させ、そのサービスを実行する（ステップＳ３９）。このとき、ユーザは、レシート読込サービスの画面から、「別のサービスに移動」ボタンを押下して特典を利用するサービスを選択するものとする。そして、そのサービスの処理完了を検知すると（ステップＳ４０：Ｙ）、サービス完了通知をサーバ側に送信する（ステップＳ４１）。
【００５６】
サーバ側では、利用した特典の情報を受信し（ステップＳ６７）、特典情報を更新して（ステップＳ６８）、ステップＳ５０に戻る。以上でレシートの特典を利用した場合の処理が完了する。
【００５７】
（画面表示例）
図７は、サービスメニュー画面、コピーサービスの画面の表示例を示す図である。図示するサービスメニュー画面３００は、サービス提供装置１００が提供するサービスのメインメニューを表示する画面である。このメインメニューでは、画像形成装置１０の機能を生かしたコピー、文書プリント、デジカメプリント（デジタルカメラで撮影した画像をプリントするサービス）、スキャン、ファックス、ネットプリント（ネットで登録した文書や画像をプリントするサービス）の他、各種チケットの発行、航空券代金の支払、スポーツ振興くじ（くじの購入や払い戻しのサービス）、プリペイドサービス（前払い方式の電子マネーの購入）、保険（自転車向けバイク向けの保険の加入のサービス）、行政サービス（住民票や印鑑証明などの各種証明書を取得するサービス）等、様々なサービスが提供されている。
【００５８】
ユーザがこのサービスメニューから希望するサービスを選択すると、そのサービスを実行するための画面に遷移する。例えば、ユーザがコピーボタン３０１を押すと、コピーの設定画面が表示され、最終的に図示するようなコピーサービスを実行する画面４００が表示される。ユーザはこの画面で設定を確認したり、変更があれば設定をやり直したりして、ＯＫであればコピー開始ボタン４０３を押下することでコピーが開始される。
【００５９】
各サービスの実行画面には、サービスの処理完了を検知したとき、前述したように「別のサービスに移動」ボタンが表示される。コピーサービスの場合は、コピーの処理完了を検知したときに、このボタンが表示される。図示する画面４００の符号４０２で示す一連のボタンが「別のサービスに移動」ボタンの具体例である。ユーザが、この「別のサービスに移動」の領域のボタンの中から移動したいサービスのボタンを押下すると、メインメニューに戻ることなく、そのサービスの画面に遷移する。図示する符号４０２で示す一連のボタンは、現在利用しているサービスのボタンが斜線で表示され押下しても無効であるが、それ以外のボタンは有効で、押下されたサービスに移動する。
【００６０】
「別のサービスに移動」の領域に表示するボタンは、一律であってもよいが、現在のサービスから「移動する可能性が高い」サービスのボタンを優先的に表示（例えば、画面の上位にそのボタンを表示したり、ボタンを大きく表示したり、ボタンの色を変えたりする等）してもよい。ここで「移動する可能性が高い」サービスは、装置の設置者が予め決定しておいて装置に設定してもよいが、実際のユーザの操作を記録した操作履歴のデータから、サービス間で移動する確率を算出し、現在のサービスから移動する確率が高い順にサービスのボタンを優先的に表示するようにしてもよい。また、連続して利用する可能性が低いサービスの組合せがある場合は、連続して利用する可能性が低いサービスのボタンは、操作画面を見やすくするため、現在のサービスの画面には表示されないようにしてもよい。
【００６１】
ユーザが別のサービスを利用しないときは、画面４００上部の終了ボタン４０１を押すことで、後述するレシート選択画面４２０に移り、レシートの発行終了後、サービスメニュー画面３００に戻る。図７の画面４００では、コピーサービスを終了せずに、ファックスボタン４０２Ａを押下し、ファックスサービスに移動する例が示されている。図８は、この移動した先のファックスサービス画面４１０の表示例を示す図である。ファックスサービス画面４１０でも同様に、ファックス送信の処理が完了したことを検知したときに、「他のサービスに移動」ボタン４１２が表示される。図の例では、他のサービスにはもう移動しないで、終了ボタン４１１を押下した例が示されている。
【００６２】
図８のレシート選択画面４２０は、各サービスの画面で、終了ボタンを押した後に、表示されるレシート発行のための画面であり、既に述べたように、レシートの形態をユーザが選択するためのボタン４２２、４２３、４２４、４２５が表示される。レシートは、利用したサービスごとに発行してもよいし、利用したサービスのレシートを１枚にまとめて（一括して）発行してもよい。ここで発行されるレシートの具体例を図９に示す。図９の一括レシートでは、１枚のレシートに利用したサービスの情報をすべて記載しているが、多数のサービスを利用し、レシートの印字に時間がかかるような場合は、利用した複数のサービスの総額の金額と、総獲得ポイントだけを一括して記載するようにユーザが選択できるようにしてもよい。
【００６３】
図１０は、レシート読込サービスの画面の表示例を示す図である。レシート読込サービスは、発行されたレシートの特典情報の確認や、複数のレシートを１枚にまとめるなどのサービスを提供する。レシート読込サービスがサービスメニューから選択されると、図示するような画面５００が表示される。ユーザはこの画面を表示させた後、画像形成装置１０の原稿台にレシート起き、スキャン開始ボタン５０２を押下すると、スキャンしたレシートの画像がレシートスキャンイメージ５０３の領域に表示される。スキャンするレシートは、原稿台に載る限り、何枚でもよい。ユーザは、この画像を確認して、送信ボタン５０４を押下すると、スキャン画像から読み取ったレシート番号がサーバに送信され、サーバ側からそのレシートに対して記録された情報がレシート情報問合わせ結果として返信される。
【００６４】
図１０の下段の画面５１０は、このレシート情報問合せ結果を表示した画面例である。サーバからの問い合わせ結果は符号５１２で示す領域に表示される。特典の利用状況等レシートに印字されていない情報も表示される。また、レシートの特典を既に使用している場合は、重複使用を防止するため、そのレシートに対しては、図示するような「無効」表示が示される。
【００６５】
また、ユーザは、この画面から読み込んだレシートを１枚にまとめる場合は、「レシートおまとめ」ボタン５１４を押下する。ここで読み込むレシートは、同じ店舗から発行されたものでなくともよい。読み込んだレシートの一部または全部に未使用の（有効な）特典情報が残っている場合は、その特典情報が加算されて１枚のレシートにまとめられる。１枚にまとめられた元のレシートの番号は無効化され、その特典情報を再度使えないようにする。そして、サーバ側では、新たに発行されたレシートの番号を有効なものとして記録する。また、ユーザが読み込んだレシートの特典を使ってサービスを利用する場合は、「特典を利用する」ボタン５１５を押下した後、「別のサービスに移動」ボタン５１６の中から利用するサービスのボタンを押下する。このようにすることで、そのサービスに対して読み込んだレシートの特典が利用される。
【００６６】
以上、実施形態を用いて本発明を説明したが、本発明の技術的範囲は上記実施形態に記載の範囲には限定されないことは言うまでもない。上記実施形態に、多様な変更または改良を加えることが可能であることが当業者に明らかである。またその様な変更または改良を加えた形態も本発明の技術的範囲に含まれ得ることが、特許請求の範囲の記載から明らかである。
【符号の説明】
【００６７】
１０  画像形成装置
１０Ａ  制御部（コントローラ）
１６  画像印刷部
１７  画像読取部
２０  インターフェースユニット
３０  課金装置
４０  レシート発行装置
１００  サービス提供装置
２００  サービスセンタサーバ
【図１】
2019179576.tif 000003
【図２】
2019179576.tif 000004
【図３】
2019179576.tif 000005
【図４】
2019179576.tif 000006
【図５】
2019179576.tif 000007
【図６】
2019179576.tif 000008
【図７】
2019179576.tif 000009
【図８】
2019179576.tif 000010
【図９】
2019179576.tif 000011
【図１０】
2019179576.tif 000012